(57)【要約】    【課題】患者から呼び出しに看護師が応答して通話を成立させることができるハンディナース親機を使用して、患者に関する看護履歴や看護内容の記録作業を容易かつ迅速に行い、看護業務の作業効率を高める。    【解決手段】ナースコール子機１ａ〜４ａ、１ｂ〜４ｂ、・・・からの呼び出しにハンディナース親機１３ａ、１３ｂ、・・・が応答すると、呼出元の患者ＩＤと応答先の看護師ＩＤとが看護履歴としてナースコール親機１１および制御機１６の記憶手段１１１、１６１に記憶されるばかりでなく、呼出元の患者に関する最新の看護内容をハンディナース親機の表示手段１３３に表示させることができる。また、呼出元の患者に対して行った看護内容は、ナースコール親機および制御機の記憶手段に記憶させることができる。また、ハンディナース親機の患者科目ボタン１３４ａ毎に、看護履歴として記憶させる看護内容を自由に割り当てることができる。さらに、呼出元の患者に対して将来的に行うべき看護内容をナースコール親機および制御機の記憶手段に記憶させることができる。  【選択図】図１
2006230892.tif 000002
【特許請求の範囲】
【請求項１】
患者が看護師を呼び出すためのナースコール子機（１ａ〜４ａ、１ｂ〜４ｂ、・・・）と、前記患者からの呼び出しを報知して応答するためのハンディナース親機（１３ａ、１３ｂ、・・・）と、前記ナースコール子機のナースコール子機ＩＤと前記患者の患者ＩＤとを関連付けて記憶し、前記呼び出しを報知して応答するためのナースコール親機（１１）と、前記ハンディナース親機を制御するための交換機（１５）と、前記ナースコール親機を制御するための制御機（１６）とを備え、
前記ハンディナース親機のハンディナース親機ＩＤと前記看護師の看護師ＩＤとを関連付けて記憶するとともに、前記患者からの呼び出しに前記ハンディナース親機にて応答した際に、看護履歴として前記患者ＩＤと前記看護師ＩＤとを記録するための記憶手段（１１１、１６１）を有することを特徴とする看護支援システム。
【請求項２】
前記ハンディナース親機には、前記看護履歴として記録する看護内容を割り当てるための看護科目ボタン（１３４ａ）を有し、前記患者からの呼び出しに前記ハンディナース親機にて応答した際に、前記ハンディナース親機の看護科目ボタンの操作により前記看護内容を前記記憶手段に記録することを特徴とする請求項１記載の看護支援システム。
【請求項３】
前記ハンディナース親機には、前記ハンディナース親機毎に前記看護履歴として記録するための前記看護内容をボタンに割り当てるための看護科目ボタン（１３４ａ）を有することを特徴とする請求項１または請求項２記載の看護支援システム。
【請求項４】
前記ハンディナース親機には、前記患者からの呼び出しに前記ハンディナース親機にて応答した際に、前記看護履歴から呼び出しを行っている患者の最新の看護内容を表示するための表示手段（１３３）を有することを特徴とする請求項１乃至請求項３のうち何れか１項記載の看護支援システム。
【発明の詳細な説明】
【技術分野】
【０００１】
本発明は、病院や老人福祉施設等の看護施設内に設置される看護支援システムに係り、特に、呼び出しを行った患者に関する看護履歴や看護内容の記録作業を迅速に行うことができ、看護業務の作業効率が高められた看護支援システムに関する。
【背景技術】
【０００２】
従来から、この種の看護支援システムとして、病院内のナースコール装置連動の看護支援装置がナースステーションで起呼患者を表示する際に、ナースに対して看護活動の個別的指針を与えるような起呼患者固有の個人看護情報を同時的に表示することで、看護情報の取扱いを的確、容易にする看護支援装置が開示されている（例えば、特許文献１を参照。）。
【０００３】
【特許文献１】特開平１０−１４６３６６号公報（段落番号０００９〜００２５、図１〜図１０）
【発明の開示】
【発明が解決しようとする課題】
【０００４】
しかしながら、従来例の看護支援装置において、起呼患者からの呼び出しを携帯用無線電話機にて確認したナースが呼出元である起呼患者に対して看護を行った場合、その看護履歴や看護内容の記録作業は、ナースステーションに戻りデータ処理装置を使用せねばならず迅速な記録作業が困難とされ、記録漏れの虞があった。
【０００５】
本発明は、前述の難点を解消するためになされたもので、患者から呼び出しに看護師が応答して通話を成立させることができるハンディナース親機を使用して、患者に関する看護履歴や看護内容の記録作業を容易かつ迅速に行い、看護業務の作業効率を高めた看護支援システムを提供することを目的としている。
【課題を解決するための手段】
【０００６】
前述の目的を達成するため、本発明の第１の態様である看護支援システムは、患者が看護師を呼び出すためのナースコール子機と、患者からの呼び出しを報知して応答するためのハンディナース親機と、ナースコール子機のナースコール子機ＩＤと患者の患者ＩＤとを関連付けて記憶し、呼び出しを報知して応答するためのナースコール親機と、ハンディナース親機を制御するための交換機と、ナースコール親機を制御するための制御機とを備えたものである。ハンディナース親機のハンディナース親機ＩＤと看護師の看護師ＩＤとを関連付けて記憶するとともに、患者からの呼び出しにハンディナース親機にて応答した際に、看護履歴として患者ＩＤと看護師ＩＤとを記録するための記憶手段を有するものである。
【０００７】
また、本発明の第２の態様は、本発明の第１の態様である看護支援システムにおいて、ハンディナース親機には、看護履歴として記録する看護内容を割り当てるための看護科目ボタンを有し、患者からの呼び出しにハンディナース親機にて応答した際に、ハンディナース親機の看護科目ボタンの操作により看護内容を記憶手段に記録するものである。
【０００８】
また、本発明の第３の態様は、本発明の第１の態様または第２の態様である看護支援システムにおいて、ハンディナース親機には、ハンディナース親機毎に看護履歴として記録するための看護内容をボタンに割り当てるための看護科目ボタンを有するものである。
【０００９】
また、本発明の第４の態様は、本発明の第１の態様乃至第３の態様のうち何れか１の態様である看護支援システムにおいて、ハンディナース親機には、患者からの呼び出しにハンディナース親機にて応答した際に、看護履歴から呼び出しを行っている患者の最新の看護内容を表示するための表示手段を有するものである。
【発明の効果】
【００１０】
本発明の看護支援システムによれば、ナースコール子機からの呼び出しにハンディナース親機にて応答操作を行った看護師は、ナースコール親機が設置されているナースステーション内に戻らずとも、呼出元の患者ＩＤと応答先の看護師ＩＤとを看護履歴としてナースコール親機および制御機の記憶手段に記憶させることができるばかりでなく、呼出元の患者に関する最新の看護内容について表示手段の表示内容をもとに容易に閲覧／確認することができ、呼出元の患者に対して適切な看護が可能となり、看護師により行われる看護業務の作業効率が高められる。
【００１１】
また、ナースコール子機からの呼び出しにハンディナース親機にて応答操作を行った看護師は、ナースコール親機が設置されているナースステーション内に戻らずとも、呼出元の患者に対して行った看護内容をナースコール親機および制御機の記憶手段に記憶させることができ、看護師により行われる看護業務の作業効率が高められる。
【００１２】
また、ナースコール親機が設置されたナースステーション内に在室中の看護師は、自らの使い勝手が高められるように、（複数の）ハンディナース親機の看護科目ボタン毎に、看護履歴として記憶させる看護内容を自由に割り当てることができ、看護師により行われる看護業務の作業効率が高められる。
【００１３】
さらに、ナースコール子機からの呼び出しにハンディナース親機にて応答操作を行った看護師は、ナースコール親機が設置されているナースステーション内に戻らずとも、呼出元の患者に対して将来的に行うべき看護内容をナースコール親機および制御機の記憶手段に記憶させることができ、看護師により行われる看護業務の作業効率が高められる。
【発明を実施するための最良の形態】
【００１４】
以下、本発明の看護支援システムを適用した最良の実施の形態例について、図面を参照して説明する。
【００１５】
図１は、本発明の実施例による看護支援システムの構成を示すシステム説明図である。
【００１６】
図１のシステム説明図に示す看護支援システムは、病院や老人福祉施設等の看護施設内、ここでは、病院内において、「Ａ号室」、「Ｂ号室」、・・・のようなそれぞれの病室内のベッド毎に設置され個別のナースコール子機ＩＤが割り当てられており、被看護者、例えば、個別の患者ＩＤが割り当てられた患者（入院患者と同意。）が看護者であるナースステーション内に在室中の看護師（以下、在室看護師という。）や後述するハンディナース親機１３ａ、１３ｂ、・・・をそれぞれ携行しながら病院内を巡回中の看護師（以下、巡回看護師という。）に対して、通常のナースコール呼び出し、トイレ介助を必要とするトイレ介助呼び出し、点滴等の投与に関する不具合や終了を知らせる等の呼出種別毎で異なる呼出操作を行い通話を成立させるための（複数の）ナースコール子機、ここでは、病床の患者により取り扱われる病室毎４台ずつのナースコール子機１ａ〜４ａ、１ｂ〜４ｂ、・・・と、病室毎に設置、例えば、各病室の出入口近傍や廊下先にそれぞれ設置され個別の廊下灯ＩＤが割り当てられており、子機ラインＬ1a〜Ｌ4a、Ｌ1b〜Ｌ4b、・・・を介してそれぞれ接続されたナースコール子機１ａ〜４ａ、１ｂ〜４ｂ、・・・からの呼び出しを呼出種別毎に検出するとともに、通話を成立させるための通話路を形成する（複数の）廊下灯１０ａ、１０ｂ、・・・と、ナースステーション（ナースセンターと同意。）内に設置されており、呼出元のナースコール子機１ａ〜４ａ、１ｂ〜４ｂ、・・・を特定し、患者からの呼び出しがあることを呼出種別毎異なるパターンで報知（表示、放音）し、この報知を確認した在室看護師が応答して通話を成立させるためのナースコール親機、ここでは、ＰＣ（Personal Computer）および呼出通話部により構成されたＰＣ型ナースコール親機１１と、病院内ネットワークに接続され、患者の入院時や病床の移動時等に転送されてくる患者氏名、重症度、救護区分、感染症、診療科目、チーム番号等の患者情報や患者に関する看護履歴等を記憶・検索するための機器であり、サーバラインＬ13を介して接続されたＰＣ型ナースコール親機１１との間で前述の患者情報や看護履歴等を共有／更新可能なオーダリングシステム等のＰＣナースサーバ１２と、病院内を巡回中である個別の看護師ＩＤが割り当てられた巡回看護師によりそれぞれ携行され個別のハンディナース親機ＩＤを有しており、呼出元のナースコール子機１ａ〜４ａ、１ｂ〜４ｂ、・・・を特定し、患者からの呼び出しがあることを呼出種別毎異なるパターンで報知（表示、放音）し、この報知を確認した巡回看護師、例えば、呼出元の患者を受け持つ担当の巡回看護師が応答して通話を成立させるとともに、患者の看護履歴の記録作業や最新の看護内容の閲覧／確認が可能なＰＨＳ（Personal Handyphone system）等の（複数の）ハンディナース親機１３ａ、１３ｂ、・・・と、ハンディナース親機１３ａ、１３ｂ、・・・との間で無線による通信を行うための基地局（無線基地局と同意。）１４と、基地局ラインＬ14に接続された基地局１４を介してハンディナース親機１３ａ、１３ｂ、・・・をそれぞれ制御（回線制御）するためのＰＢＸ（Private Branch Exchange）等の交換機１５と、廊下灯ラインＬ10を介して（複数の）廊下灯１０���、１０ｂ、・・・、親機ラインＬ11を介してＰＣ型ナースコール親機１１、交換機ラインＬ12を介して交換機１５をそれぞれ接続するための中継器として、ナースステーション内や病院内の共用部に設置されており、これら接続された各種機器を制御する制御機１６とを備えている。
【００１７】
また、ＰＣ型ナースコール親機１１は、図２のブロック図に示すように、後述する呼出報知の動作や通話路の形成等の各種制御を行うための制御手段を構成するＣＰＵ（Central Processing Unit、以下、ナースコール親機ＣＰＵという。）１１０と、ハンディナース親機１３ａ、１３ｂ、・・・のハンディナース親機ＩＤと巡回看護師の看護師ＩＤとを関連付けて記憶するとともに、患者からの呼び出しにハンディナース親機１３ａ、１３ｂ、・・・にて応答した際に、看護履歴として（呼出元である患者の）患者ＩＤと（応答先である巡回看護師の）看護師ＩＤとを記憶するための記憶手段を構成するＲＡＭ（Random Access Memory）、ＥＥＰＲＯＭ（Electrically Erasable Programmable Read Only Memory）等のメモリ（以下、ナースコール親機メモリという。）１１１と、患者からの呼び出しがあることを呼出種別毎異なるパターンの呼出音（音声メッセージを含む。）を放音させて報知するとともに、在室看護師が患者（または巡回看護師）との間で通話を成立させるための音声を送受信する通話手段を構成するスピーカ、ハンドセット等の呼出通話部（以下、ナースコール親機呼出通話部という。）１１２と、患者からの呼び出しがあることを呼出種別毎異なるパターンで表示するとともに、患者氏名、重症度、救護区分、感染症、診療科目、チーム番号等の患者情報や患者に関する看護履歴を表示させることができる表示手段を構成するＬＣＤ（Liquid Crystal Display）、有機ＥＬ（Electro Luminescence）ディスプレイ等の表示部（以下、ナースコール親機表示部という。）１１３と、在室看護師による呼出応答のための操作や各種データの入力操作等が行われる操作手段を構成するタッチパネル、キーボード、マウス等の操作部（以下、ナースコール親機操作部という。）１１４と、ナースコール親機ＣＰＵ１１０およびナースコール親機ラインＬ11の間の信号伝送路を形成するための通信手段を構成するインターフェース（以下、制御機側親機Ｉ／Ｆという。）１１５と、ナースコール親機ＣＰＵ１１０およびサーバラインＬ13の間の信号伝送路を形成するための通信手段を構成するインターフェース（以下、サーバ側親機Ｉ／Ｆという。）１１６とを有している。
【００１８】
また、ＰＣナースサーバ１２は、図１のシステム説明図に示すように、（複数の）ハンディナース親機１３ａ、１３ｂ、・・・のハンディナース親機ＩＤと巡回看護師の看護師ＩＤとを関連付けて記憶するとともに、患者からの呼び出しにハンディナース親機１３ａ、１３ｂ、・・・にて応答した際に、看護履歴として（呼出元である患者の）患者ＩＤと（応答先である巡回看護師の）看護師ＩＤとを記憶するための記憶手段を構成するＲＡＭ、ＥＥＰＲＯＭ等のメモリ（以下、サーバメモリという。）１２０を有している。
【００１９】
また、（複数の）ハンディナース親機１３ａ、１３ｂ、・・・はそれぞれ同様な構成であり、図３のブロック図に示すように、後述する呼出報知の動作や通話路の形成等の各種制御を行うための制御手段を構成するＣＰＵ（以下、ハンディナース親機ＣＰＵという。）１３０と、自ハンディナース親機のハンディナース親機ＩＤが予め記憶されている記憶手段を構成するＲＡＭ、ＥＥＰＲＯＭ等のメモリ（以下、ハンディナース親機メモリという。）１３１と、患者からの呼び出しがあることを呼出種別毎異なるパターンの呼出音（音声メッセージを含む。）を放音させて報知するとともに、巡回看護師が患者（または在室看護師）との間で通話を成立させるための音声を送受信する呼出通話手段を構成するスピーカ、マイク等の呼出通話部（以下、ハンディナース親機呼出通話部という。）１３２と、患者からの呼び出しがあることを呼出種別毎異なるパターンで表示するとともに、看護履歴から呼出元の患者に関する最新の看護内容を表示させることができる表示手段を構成するＬＣＤ、有機ＥＬディスプレイ等の表示部（以下、ハンディナース親機表示部という。）１３３と、巡回看護師による呼出応答のための操作が行われるとともに、看護履歴として記憶する看護内容を割り当てる、或いは当該ハンディナース親機毎に看護履歴として記憶するための看護内容をボタンに割り当てるための看護科目ボタン１３４ａを備えた操作手段を構成するテンキーボタン等の操作部（以下、ハンディナース親機操作部という。）１３４と、ハンディナース親機ＣＰＵ１３０および基地局１４の間の（無線による）信号伝送路を形成するための通信手段を構成するインターフェース（以下、親機Ｉ／Ｆという。）１３５とを有している。
【００２０】
さらに、制御機１６は、図４のブロック図に示すように、後述する呼出報知の動作や通話路の形成等の各種制御を行うための制御手段を構成するＣＰＵ（以下、制御機ＣＰＵという。）１６０と、（複数の）ハンディナース親機１３ａ、１３ｂ、・・・のハンディナース親機ＩＤと巡回看護師の看護師ＩＤとを関連付けて記憶するとともに、患者からの呼び出しにハンディナース親機１３ａ、１３ｂ、・・・にて応答した際に、看護履歴として（呼出元である患者の）患者ＩＤと（応答先である巡回看護師の）看護師ＩＤとを記憶するための記憶手段を構成するＲＡＭ、ＥＥＰＲＯＭ等のメモリ（以下、制御機メモリという。）１６１と、制御機ＣＰＵ１６０および廊下灯ラインＬ10の間の信号伝送路を形成するための通信手段を構成するインターフェース（以下、廊下灯側制御機Ｉ／Ｆという。）１６２と、制御機ＣＰＵ１６０およびナースコール親機ラインＬ11の間の信号伝送路を形成するための通信手段を構成するインターフェース（以下、親機側制御機Ｉ／Ｆという。）１６３と、制御機ＣＰＵ１６０および交換機ラインＬ12の間の信号伝送路を形成するための通信手段を構成するインターフェース（以下、交換機側制御機Ｉ／Ｆという。）１６４とを有している。
【００２１】
このように構成された本発明の実施例による看護支援システムにおいて、以下、具体的な動作について説明する。
【００２２】
本発明の実施例による第１の動作として、（ナースステーション内に在室中の）在室看護師は、図１のシステム説明図および図２のブロック図に示すＰＣ型ナースコール親機１１のナースコール親機表示部１１３およびナースコール親機操作部１１４を使用して、（複数の）ナースコール子機１ａ〜４ａ、１ｂ〜４ｂ、・・・のナースコール子機ＩＤと当該ナースコール子機がそれぞれ設置された各病床の患者の患者ＩＤとを関連付け、この関連付けられた情報（以下、第１の関連付け情報という。）をナースコール親機メモリ１１１に予め記憶させるとともに、（複数の）ハンディナース親機１３ａ、１３ｂ、・・・のハンディナース親機ＩＤと当該ハンディナース親機をそれぞれ携行している巡回看護師の看護師ＩＤとを関連付け、この関連付けられた情報（以下、第２の関連付け情報という。）をナースコール親機メモリ１１１に予め記憶させておくことができる。
【００２３】
なお、図２のブロック図において、ＰＣ型ナースコール親機１１のナースコール親機メモリ１１１に予め記憶させた前述の第１、第２の各関連付け情報は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００２４】
前述のような第１、第２の各関連付け情報が、図１のシステム説明図に示すＰＣ型ナースコール親機１１のナースコール親機メモリ１１１、ＰＣナースサーバ１２のサーバメモリ１２０および制御機１６の制御機メモリ１６１に予め記憶されている場合において、「Ａ号室」、「Ｂ号室」、・・・のような（複数の）病室内の病床毎の患者のうち、ここでは、「Ａ号室」内でナースコール子機１ａが病床に設置された患者が、（ナースステーション内に在室中の）在室看護師やハンディナース親機１３ａ、１３ｂ、・・・を携行している複数の巡回看護師のうち受け持ちの（担当）巡回看護師、ここでは、ハンディナース親機１３ａを携行している巡回看護師を呼び出す、例えば、通常のナースコール呼び出し、トイレ介助が必要とされるトイレ介助呼び出し、点滴等の投与に関する不具合や終了を知らせる等を行うために、これら呼出種別毎で操作が異なるナースコール子機１ａの呼出機能（詳述せず）を能動にする、ここでは、トイレ介助呼び出しのための呼出機能（詳述せず）を能動にすると、呼出元のナースコール子機１ａに子機ラインＬ1aを介して接続されている廊下灯１０ａでは、ナースコール子機１ａのナースコール子機ＩＤ、自廊下灯の廊下灯ＩＤおよびトイレ介助呼び出しを示す呼出種別データを付加させた呼出信号を生成する。この呼出信号は、廊下灯１０ａから廊下灯ラインＬ10を介して（廊下灯１０ａを除く）他の廊下灯１０ｂ、・・・と、廊下灯１０ａから廊下灯ラインＬ10、図４のブロック図に示す制御機１６の廊下灯側制御機Ｉ／Ｆ１６２を介して制御機ＣＰＵ１６０とにそれぞれ伝送される。
【００２５】
なお、（廊下灯１０ａを除く）他の廊下灯１０ｂ、・・・では、伝送されてきた呼出信号が制御機１６（の制御機ＣＰＵ１６０）からの出力信号でないことから、通常、呼出信号を無効であると判断する。
【００２６】
図４のブロック図において、制御機１６の制御機ＣＰＵ１６０は、廊下灯１０ａからの呼出信号に付加されている廊下灯ＩＤ、ナースコール子機ＩＤおよび呼出種別データをもとに、「Ａ号室」内でナースコール子機１ａが設置された病床の患者によりトイレ介助呼び出しがあったことを検出し、廊下灯ＩＤに関連付けられて制御機メモリ１６１に予め記憶されている「Ａ号室」の部屋番号および同様に付加されたナースコール子機ＩＤに関連付けられて制御機メモリ１６１に予め記憶されている呼出元である患者の患者ＩＤと呼出報知させる当該ハンディナース親機のハンディナース親機ＩＤ、すなわち、ハンディナース親機１３ａのハンディナース親機ＩＤとを読み出す。また、制御機ＣＰＵ１６０は、制御機メモリ１６１から読み出された部屋番号、ナースコール子機１ａのナースコール子機ＩＤおよび呼出種別データを付加させた呼出報知信号（以下、ナースコール親機用呼出報知信号という。）を生成するとともに、同様に読み出された呼出元である患者の患者ＩＤ、ハンディナース親機１３ａのハンディナース親機ＩＤおよび呼出種別データを付加させた呼出報知信号（以下、ハンディナース親機用呼出報知信号という。）を生成する。これらナースコール親機用呼出報知信号およびハンディナース親機用呼出報知信号のうち、ナースコール親機用呼出報知信号は、制御機ＣＰＵ１６０から親機側制御機Ｉ／Ｆ１６３、ナースコール親機ラインＬ11、図２のブロック図に示すＰＣ型ナースコール親機１１の制御機側親機Ｉ／Ｆ１１５を介してナースコール親機ＣＰＵ１１０へと伝送される。一方、ハンディナース親機用呼出報知信号は、制御機ＣＰＵ１６０から交換機側制御機Ｉ／Ｆ１６４、交換機ラインＬ12、図１のシステム説明図に示す交換機１５、基地局ラインＬ14、基地局１４を介して適宜、信号処理された無線信号として、図３のブロック図に示す全てのハンディナース親機１３ａ、１３ｂ、・・・の親機Ｉ／Ｆ１３５（１３５、１３５、・・・）にて受信され、電気信号に信号処理された後、ハンディナース親機ＣＰＵ１３０（１３０、１３０、・・・）へとそれぞれ伝送される。
【００２７】
図２のブロック図において、ＰＣ型ナースコール親機１１のナースコール親機ＣＰＵ１１０は、制御機１６（の制御機ＣＰＵ１６０）からのナースコール親機用呼出報知信号に付加されている部屋番号、ナースコール子機ＩＤおよび呼出種別データをもとに、「Ａ号室」内でナースコール子機１ａが設置された病床の患者によりトイレ介助呼び出しがあったことを検出し、その旨の報知（放音、表示）をナースコール親機呼出通話部１１２およびナースコール親機表示部１１３を使用して行う（詳述せず）。
【００２８】
図３のブロック図において、全てのハンディナース親機１３ａ、１３ｂ、・・・のハンディナース親機ＣＰＵ１３０（１３０、１３０、・・・）は、制御機１６（の制御機ＣＰＵ１６０）からのハンディナース親機用呼出報知信号に付加されている患者ＩＤ、ハンディナース親機ＩＤおよび呼出種別データのうち、ハンディナース親機ＩＤとハンディナース親機メモリ１３１に予め記憶されている自ハンディナース親機のハンディナース親機ＩＤとを照合し、当該ハンディナース親機ＩＤが一致した場合にのみ「Ａ号室」内でナースコール子機１ａが設置された病床の患者によりトイレ介助呼び出しがあったことを検出し、その旨の報知（放音、表示）をハンディナース親機呼出通話部１３２およびハンディナース親機表示部１３３を使用して行う。ここでは、呼出元の患者を受け持つ（担当の）巡回看護師が携行しているハンディナース親機１３ａのみ当該ハンディナース親機ＩＤが一致し、呼出報知として、例えば、「Ａ号室」内でナースコール子機１ａが設置された病床の患者によりトイレ介助呼び出しがあった旨の呼出音（音声メッセージを含む。）がハンディナース親機呼出通話部１３２から放音されるとともに、呼出元である患者の患者ＩＤおよびトイレ介助呼び出しがあった旨の呼出種別データをハンディナース親機表示部１３３に表示させることができる。
【００２９】
図１のシステム説明図において、前述のような呼出報知を確認した（ナースステーション内に在室中の）在室看護師およびハンディナース親機１３ａを携行している巡回看護師のうち、最先に応答操作を行った看護師、ここでは、前述の巡回看護師がハンディナース親機１３ａのハンディナース親機操作部１３４を使用して所定の応答操作を行うと、この操作を検出した図３のブロック図に示すハンディナース親機ＣＰＵ１３０は、ハンディナース親機呼出通話部１３２およびハンディナース親機表示部１３３を使用して行われていた呼出報知のための動作を停止し、ハンディナース親機呼出通話部１３２および親機Ｉ／Ｆ１３５の間の通話路を形成して自ハンディナース親機の通話機能を能動にするとともに、ハンディナース親機メモリ１３１に予め記憶されている自ハンディナース親機のハンディナース親機ＩＤを付加させた呼出応答信号を生成する。この呼出応答信号は、前述のハンディナース親機用呼出報知信号と逆の経路を介して、図４のブロック図に示す制御機１６の制御機ＣＰＵ１６０へと伝送される。
【００３０】
図４のブロック図において、制御機１６の制御機ＣＰＵ１６０は、ハンディナース親機１３ａ（のハンディナース親機ＣＰＵ１３０）からの呼出応答信号を検出すると、廊下灯側制御機Ｉ／Ｆ１６２および交換機側制御機Ｉ／Ｆ１６４の間の通話路を形成するとともに、図１のシステム説明図に示す子機ラインＬ1aに接続された呼出元であるナースコール子機１ａの通話機能（詳述せず）および廊下灯ラインＬ10の間の通話路を形成するための制御信号として、廊下灯１０ａの廊下灯ＩＤを付加させた制御信号（以下、廊下灯用制御信号という。）と、ＰＣ型ナースコール親機１１のナースコール親機呼出通話部１１２およびナースコール親機表示部１１３を使用して行われていた呼出報知のための動作を停止させるための制御信号として、応答先であるハンディナース親機１３ａのハンディナース親機ＩＤを付加させた制御信号（以下、ナースコール親機用制御信号という。）を生成する。これら廊下灯用制御信号およびナースコール親機用制御信号のうち、廊下灯用制御信号は、制御機ＣＰＵ１６０から廊下灯側制御機Ｉ／Ｆ１６２、廊下灯ラインＬ10を介して図１のシステム説明図に示す全ての廊下灯１０ａ、１０ｂ、・・・へと伝送される。一方、ナースコール親機用制御信号は、前述のナースコール親機用呼出報知信号と同様な経路を介して図２のブロック図に示すＰＣ型ナースコール親機１１のナースコール親機ＣＰＵ１１０へと伝送される。
【００３１】
図１のシステム説明図において、全ての廊下灯１０ａ、１０ｂ、・・・は、それぞれ制御機１６（の制御機ＣＰＵ１６０）からの廊下灯用制御信号に付加されている廊下灯ＩＤと自廊下灯の廊下灯ＩＤとを照合する。ここでは、廊下灯１０ａのみ当該廊下灯ＩＤが一致し、子機ラインＬ1aに接続された呼出元であるナースコール子機１ａの通話機能（詳述せず）および廊下灯ラインＬ10の間の通話路を形成することにより、呼出元の患者が使用するナースコール子機１ａの通話機能（詳述せず）と、子機ラインＬ1a、廊下灯１０ａ、廊下灯ラインＬ10、図４のブロック図に示す制御機１６の廊下灯側制御機Ｉ／Ｆ１６２、制御機ＣＰＵ１６０、交換機側制御機Ｉ／Ｆ１６４、交換機ラインＬ12、交換機１５、基地局ラインＬ14、基地局１４、図３のブロック図に示すハンディナース親機１３ａの親機Ｉ／Ｆ１３５、ハンディナース親機ＣＰＵ１３０を介して応答先の巡回看護師が使用するハンディナース親機呼出通話部１３２との間の通話路が形成され、通話を成立させることができる。
【００３２】
図２のブロック図において、ＰＣ型ナースコール親機１１のナースコール親機ＣＰＵ１１０は、制御機１６（の制御機ＣＰＵ１６０）からのナースコール親機用制御信号を検出すると、ナースコール親機呼出通話部１１２およびナースコール親機表示部１１３を使用して行われていた呼出報知のための動作を停止させるとともに、当該ナースコール親機用制御信号に付加されたハンディナース親機ＩＤに関連付けられてナースコール親機メモリ１１１に予め記憶されている巡回看護師の看護師ＩＤ、すなわち、ハンディナース親機１３ａを携行している巡回看護師の看護師ＩＤを読み出す。また、ナースコール親機ＣＰＵ１１０は、ナースコール親機メモリ１１１から読み出されたハンディナース親機１３ａを携行している巡回看護師の看護師ＩＤと「Ａ号室」内でナースコール子機１ａが設置された病床の患者の患者ＩＤとを看護履歴としてナースコール親機メモリ１１１に記憶させることができる。
【００３３】
前述までの説明から明らかなように、ハンディナース親機１３ａにて応答操作を行った巡回看護師は、ＰＣ型ナースコール親機１１が設置されているナースステーション内に戻らずとも、呼出元の患者ＩＤと応答先の看護師ＩＤとを看護履歴としてナースコール親機メモリ１１１に記憶させることができ、看護業務の作業効率が高められる。
【００３４】
なお、図２のブロック図において、ＰＣ型ナースコール親機１１のナースコール親機メモリ１１１に記憶させた前述の看護履歴は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００３５】
また、図２のブロック図において、制御機１６（の制御機ＣＰＵ１６０）からのナースコール親機用制御信号を検出したＰＣ型ナースコール親機１１のナースコール親機ＣＰＵ１１０は、ナースコール親機メモリ１１１に予め記憶されている看護履歴から呼出元の患者に関する最新の看護内容を読み出し、読み出された最新の看護内容情報およびハンディナース親機１３ａのハンディナース親機ＩＤを付加させた最新看護内容信号を生成する。この最新看護内容信号は、ナースコール親機ＣＰＵ１１０から制御機側親機Ｉ／Ｆ１１５、ナースコール親機ラインＬ11、図４のブロック図に示す制御機１６の親機側制御機Ｉ／Ｆ１６３、制御機ＣＰＵ１６０、交換機側制御機Ｉ／Ｆ１６４、交換機ラインＬ12、図１のシステム説明図に示す交換機１５、基地局ラインＬ14、基地局１４を介して適宜、信号処理された無線信号として、図３のブロック図に示す全てのハンディナース親機１３ａ、１３ｂ、・・・の親機Ｉ／Ｆ１３５（１３５、１３５、・・・）にて受信され、電気信号に信号処理された後、ハンディナース親機ＣＰＵ１３０（１３０、１３０、・・・）へとそれぞれ伝送される。
【００３６】
図３のブロック図において、全てのハンディナース親機１３ａ、１３ｂ、・・・のハンディナース親機ＣＰＵ１３０（１３０、１３０、・・・）は、ＰＣ型ナースコール親機１１（のナースコール親機ＣＰＵ１１０）からの最新看護内容信号に付加されているハンディナース親機ＩＤと自ハンディナース親機のハンディナース親機ＩＤとを照合し、当該ハンディナース親機ＩＤが一致した場合にのみ同様に付加されている最新の看護内容情報、すなわち、呼出元である「Ａ号室」内でナースコール子機１ａが設置された病床の患者に関する最新の看護内容をハンディナース親機表示部１３３に表示する。ここでは、「Ａ号室」内でナースコール子機１ａが設置された病床の患者からのトイレ介助呼び出しに応答した巡回看護師が携行しているハンディナース親機１３ａのハンディナース親機ＣＰＵ１３０のみ当該ハンディナース親機ＩＤが一致し、最新の看護内容をハンディナース親機表示部１３３に表示させることができる。
【００３７】
前述までの説明から明らかなように、ハンディナース親機１３ａにて応答操作を行った巡回看護師は、ＰＣ型ナースコール親機１１が設置されているナースステーション内に戻らずとも、呼出元の患者に関する最新の看護内容についてハンディナース親機表示部１３３の表示内容をもとに容易に閲覧／確認することができ、「Ａ号室」内でナースコール子機１ａが設置された病床の患者に対して適切な看護が可能となり、看護業務の作業効率が高められる。
【００３８】
なお、第１の動作によれば、「Ａ号室」内でナースコール子機１ａが設置された病床の患者からの呼び出しをハンディナース親機１３ａにて呼出報知させるためのハンディナース親機用呼出報知信号を制御機１６の制御機ＣＰＵ１６０にて生成する場合について説明したが、廊下灯１０ａからの呼出信号を検出したＰＣ型ナースコール親機１１のナースコール親機ＣＰＵ１１０にて生成させることもできる。
【００３９】
次に、本発明の実施例による第２の動作について説明する。
【００４０】
（ナースステーション内に在室中の）在室看護師は、図１のシステム説明図および図２のブロック図に示すＰＣ型ナースコール親機１１のナースコール親機表示部１１３およびナースコール親機操作部１１４を使用して、（複数の）ハンディナース親機１３ａ、１３ｂ、・・・のハンディナース親機操作部１３４（１３４、１３４、・・・）にそれぞれ備えられている看護科目ボタン１３４ａ（１３４ａ、１３４ａ、・・・）毎の看護内容、例えば、看護内容がトイレ介助である旨、看護内容が点滴等の投与に関する不具合や終了を確認する旨等を、（複数の）ハンディナース親機１３ａ、１３ｂ、・・・のハンディナース親機ＩＤに関連付け、この関連付けられた情報（以下、第３の関連付け情報という。）をナースコール親機メモリ１１１に予め記憶させておくことができる。
【００４１】
なお、図２のブロック図において、ＰＣ型ナースコール親機１１のナースコール親機メモリ１１１に予め記憶させた前述の第３の関連付け情報は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００４２】
前述のような第３の関連付け情報が、図１のシステム説明図に示すＰＣ型ナースコール親機１１のナースコール親機メモリ１１１、ＰＣナースサーバ１２のサーバメモリ１２０および制御機１６の制御機メモリ１６１に記憶されている場合において、第１の動作で明らかなように、「Ａ号室」内でナースコール子機１ａが設置された病床の患者からのトイレ介助呼び出しがあることを確認した巡回看護師、すなわち、ハンディナース親機１３ａを携行している巡回看護師がハンディナース親機操作部１３４にて応答操作を行い通話を成立させた後、この巡回看護師が呼出元である患者の病床まで赴き看護を行う、例えば、トイレ介助のための看護を行い当該トイレ介助の看護内容に割り当てられているハンディナース親機操作部１３４の看護科目ボタン１３４ａを操作すると、この操作を検出した図３のブロック図に示すハンディナース親機ＣＰＵ１３０は、ハンディナース親機メモリ１３１に予め記憶されている自ハンディナース親機のハンディナース親機ＩＤおよび前述の操作データを付加させた看護内容信号を生成する。この看護内容信号は、前述の呼出応答信号と同様な経路を介して、図４のブロック図に示す制御機１６の制御機ＣＰＵ１６０へと伝送される。
【００４３】
図４のブロック図において、制御機１６の制御機ＣＰＵ１６０は、ハンディナース親機１３ａ（のハンディナース親機ＣＰＵ１３０）からの看護内容信号を、親機側制御機Ｉ／Ｆ１６３、ナースコール親機ラインＬ11、図２のブロック図に示すＰＣ型ナースコール親機１１の制御機側親機Ｉ／Ｆ１１５を介してナースコール親機ＣＰＵ１１０に転送させる。
【００４４】
図２のブロック図において、ＰＣ型ナースコール親機１１のナースコール親機ＣＰＵ１１０は、制御機１６を介して転送されてきたハンディナース親機１３ａ（のハンディナース親機ＣＰＵ１３０）からの看護内容信号に付加された操作データに関連付けられてナースコール親機メモリ１１１に予め記憶されている看護内容、すなわち、トイレ介助のための看護内容を検出し、検出された看護内容をナースコール親機メモリ１１１に記憶させることにより、このナースコール親機メモリ１１１には、前述の第１の動作にて明らかなハンディナース親機１３ａを携行している巡回看護師の看護師ＩＤと「Ａ号室」内でナースコール子機１ａが設置された病床の患者の患者ＩＤとが看護履歴として記憶されるばかりでなく、ハンディナース親機１３ａを携行している巡回看護師により行われた看護がトイレ介助であった旨の看護内容を記憶させることができる。
【００４５】
前述までの説明から明らかなように、ハンディナース親機１３ａにて応答操作を行った巡回看護師は、ＰＣ型ナースコール親機１１が設置されているナースステーション内に戻らずとも、呼出元である「Ａ号室」内でナースコール子機１ａが設置された病床の患者に対して行った看護内容をナースコール親機メモリ１１１に記憶させることができ、看護業務の作業効率が高められる。
【００４６】
なお、図２のブロック図において、ＰＣ型ナースコール親機１１のナースコール親機メモリ１１１に記憶させた前述の看護内容は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００４７】
また、第２の動作によれば、ハンディナース親機１３ａからの看護内容信号に付加された操作データに関連付けられている看護内容を読み出す当該メモリとして、ＰＣ型ナースコール親機１１のナースコール親機メモリ１１１を適用したが、これに限定されず、ハンディナース親機１３ａ（のハンディナース親機ＣＰＵ１３０）からの看護内容信号を検出した制御機１６の制御機ＣＰＵ１６０により制御される制御機メモリ１６１、或いはＰＣナースサーバ１２のサーバメモリ１２０も好適である。
【００４８】
次に、本発明の実施例による第３の動作について説明する。
【００４９】
（ナースステーション内に在室中の）在室看護師は、前述の第２の動作から明らかなように、図１のシステム説明図および図２のブロック図に示すＰＣ型ナースコール親機１１のナースコール親機メモリ１１１に予め記憶されている看護内容、すなわち、（複数の）ハンディナース親機１３ａ、１３ｂ、・・・のハンディナース親機操作部１３４（１３４、１３４、・・・）にそれぞれ備えられている看護科目ボタン１３４ａ（１３４ａ、１３４ａ、・・・）毎に割り当てられた看護内容について、ナースコール親機操作部１１４の操作を検出したナースコール親機ＣＰＵ１１０の制御によりナースコール親機メモリ１１１から読み出し、ナースコール親機表示部１１３に表示させることができる。
【００５０】
また、（ナースステーション内に在室中の）在室看護師は、図１のシステム説明図および図２のブロック図に示すＰＣ型ナースコール親機１１のナースコール親機表示部１１３およびナースコール親機操作部１１４を使用して、（複数の）ハンディナース親機１３ａ、１３ｂ、・・・毎に看護履歴として記憶するための看護内容をハンディナース親機操作部１３４（１３４、１３４、・・・）に備えられている看護科目ボタン１３４ａ（１３４ａ、１３４ａ、・・・）に割り当て、この割り当てられた情報（以下、看護履歴割り当て情報という。）をナースコール親機メモリ１１１に記憶させることができる。
【００５１】
前述までの動作から明らかなように、（ナースステーション内に在室中の）在室看護師は、自らの使い勝手が高められるように、（複数の）ハンディナース親機１３ａ、１３ｂ、・・・のハンディナース親機操作部１３４（１３４、１３４、・・・）に備えられている看護科目ボタン１３４ａ（１３４ａ、１３４ａ、・・・）毎に、看護履歴として記憶させる看護内容を自由に割り当てることができ、看護業務の作業効率が高められる。
【００５２】
なお、図２のブロック図において、ＰＣ型ナースコール親機１１のナースコール親機メモリ１１１に記憶させた前述の看護履歴割り当て情報は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００５３】
次に、本発明の実施例による第４の動作について説明する。
【００５４】
前述の第１の動作から明らかなように、「Ａ号室」内でナースコール子機１ａが設置された病床の患者からのトイレ介助呼び出しに応答した巡回看護師が携行しているハンディナース親機１３ａのハンディナース親機表示部１３３に、呼出元の患者に関する最新の看護内容が表示されている場合において、この巡回看護師がハンディナース親機操作部１３４を使用して呼出元の患者に関する将来的な看護内容を選択すると、この操作を検出した図３のブロック図に示すハンディナース親機ＣＰＵ１３０は、ハンディナース親機メモリ１３１に予め記憶されている自ハンディナース親機のハンディナース親機ＩＤおよび前述の操作データを付加させた看護内容選択信号を生成する。この看護内容選択信号は、前述の看護内容信号と同様な経路を介して、図２のブロック図に示すＰＣ型ナースコール親機１１のナースコール親機ＣＰＵ１１０へと伝送される。
【００５５】
図２のブロック図において、ＰＣ型ナースコール親機１１のナースコール親機ＣＰＵ１１０は、制御機１６を介して転送されてきたハンディナース親機１３ａ（のハンディナース親機ＣＰＵ１３０）からの看護内容選択信号に付加されている操作データをもとに、「Ａ号室」内でナースコール子機１ａが設置された病床の患者に対する将来的な看護内容を検出し、検出された看護内容をナースコール親機メモリ１１１に記憶させることができる。
【００５６】
前述までの説明から明らかなように、ハンディナース親機１３ａにて応答操作を行った巡回看護師は、ＰＣ型ナースコール親機１１が設置されているナースステーション内に戻らずとも、呼出元である「Ａ号室」内でナースコール子機１ａが設置された病床の患者に対して将来的に行うべき看護内容をナースコール親機メモリ１１１に記憶させることができ、看護業務の作業効率が高められる。
【００５７】
なお、図２のブロック図において、ＰＣ型ナースコール親機１１のナースコール親機メモリ１１１に記憶させた前述の将来的な看護内容は、ナースコール親機ＣＰＵ１１０の制御によりナースコール親機メモリ１１１から読み出された後、制御機側親機Ｉ／Ｆ１１５、ナースコール親機ラインＬ11、図４のブロック図に示す制御機１６の親機側制御機Ｉ／Ｆ１６３を介して制御機ＣＰＵ１６０へと伝送され、制御機ＣＰＵ１６０の制御により制御機メモリ１６１に記憶させることができるばかりでなく、サーバ側親機Ｉ／Ｆ１１６、サーバラインＬ13を介してＰＣナースサーバ１２へと伝送され、図１のシステム説明図に示すサーバメモリ１２０に記憶させることができる。
【００５８】
また、本発明の実施例によれば、ナースステーション内に設置されるナースコール親機として、ＰＣおよび呼出通話部により構成されたＰＣ型ナースコール親機１１を適用したが、これに限定されず、ボード型ナースコール親機も好適であり同様な効果を奏する。
【図面の簡単な説明】
【００５９】
【図１】本発明の実施例による看護支援システムの構成を示すシステム説明図。
【図２】本発明の実施例による看護支援システムにおいて、ＰＣ型ナースコール親機（ナースコール親機）の具体的な構成を示すブロック図。
【図３】本発明の実施例による看護支援システムにおいて、ハンディナース親機の具体的な構成を示すブロック図。
【図４】本発明の実施例による看護支援システムにおいて、制御機の具体的な構成を示すブロック図。
【符号の説明】
【００６０】
１ａ〜４ａ、１ｂ〜４ｂ、・・・ ……（複数の）ナースコール子機
１１……ＰＣ型ナースコール親機（ナースコール親機）
１１１……ナースコール親機メモリ（記憶手段）
１３ａ、１３ｂ、・・・ ……（複数の）ハンディナース親機
１３３……ハンディナース親機表示部（表示手段）
１３４ａ……看護科目ボタン
１５……交換機
１６……制御機
１６１……制御機メモリ（記憶手段）
【図１】
2006230892.tif 000003
【図２】
2006230892.tif 000004
【図３】
2006230892.tif 000005
【図４】
2006230892.tif 000006